(57)【特許請求の範囲】
【請求項１】
カラオケ演奏時に、マイクから入力された歌唱音声信号に基づき歌唱を一次審査する審査手段と、
審査手段による一次審査結果が合格であったとき、前記歌唱音声信号をサーバ装置に送信するアップロード手段と、
カラオケ演奏時に、前記サーバ装置から歌唱音声信号をダウンロードする操作を受け付ける操作手段と、
前記操作手段が歌唱音声信号のダウンロード操作を受け付けると、カラオケ演奏時に、前記サーバ装置から歌唱音声信号をダウンロードし、この歌唱音声信号をガイドボーカルとしてカラオケ演奏と同期して再生する再生手段と、
を備えたカラオケ装置と、
複数のカラオケ装置と通信回線を介して接続されているサーバ装置であって、前記カラオケ装置からアップロードされてきた歌唱音声信号に基づきこの歌唱の二次審査を行い、この二次審査に合格したもののみをガイドボーカルとして、前記複数のカラオケ装置がダウンロードできるように公開するサーバ装置と、
からなるカラオケシステム。
【請求項２】
カラオケ演奏時に、マイクから入力された歌唱音声信号に基づき歌唱を一次審査する審査手段と、
審査手段による一次審査結果が合格であったとき、前記歌唱音声信号をサーバ装置に送信するアップロード手段と、
カラオケ演奏時に、前記サーバ装置から歌唱音声信号をダウンロードする操作を受け付ける操作手段と、
前記操作手段が歌唱音声信号のダウンロード操作を受け付けると、前記サーバ装置から歌唱音声信号をダウンロードする手段と、
ダウンロードした歌唱音声信号をガイドボーカルとしてカラオケ演奏と同期して再生する再生手段と、
を備えたカラオケ装置と、
複数のカラオケ装置と通信回線を介して接続されているサーバ装置であって、前記カラオケ装置からアップロードされてきた歌唱音声信号に基づきこの歌唱の二次審査を行い、この二次審査に合格したもののみをガイドボーカルとして、前記複数のカラオケ装置がダウンロードできるように公開するサーバ装置と、
からなるカラオケシステム。
【請求項３】
前記サーバ装置は、歌唱音声信号とともに、その歌唱者に関する情報や歌唱の特徴を含むカタログ情報を公開する請求項１、請求項２または請求項３に記載のカラオケシステム。
【請求項４】
前記サーバ装置は、歌唱音声信号のダウンロード回数をカウントし、この情報を前記カタログ情報に付加する請求項３に記載のカラオケシステム。
【請求項５】
前記カラオケ装置は、前記サーバ装置から前記カタログ情報をダウンロードし、そののち利用者の選択により歌唱音声信号をダウンロードする請求項３または４に記載のカラオケシステム。
【請求項６】
カラオケ演奏時に、マイクから入力された歌唱音声信号に基づき歌唱を一次審査する審査手段と、
審査手段による一次審査結果が合格であったとき、前記歌唱音声信号をサーバ装置に送信するアップロード手段と、
カラオケ演奏時に、前記サーバ装置から歌唱音声信号をダウンロードする操作を受け付ける操作手段と、
前記操作手段が歌唱音声信号のダウンロード操作を受け付けると、カラオケ演奏時に、カラオケ装置からアップロードされて前記サーバ装置での二次審査に合格した歌唱音声信号を前記サーバ装置から歌唱音声信号をダウンロードし、この歌唱音声信号をガイドボーカルとしてカラオケ演奏と同期して再生する再生手段と、
を備えたカラオケ装置。
【請求項７】
カラオケ演奏時に、マイクから入力された歌唱音声信号に基づき歌唱を一次審査する審査手段と、
審査手段による一次審査結果が合格であったとき、前記歌唱音声信号をサーバ装置に送信するアップロード手段と、
カラオケ演奏時に、前記サーバ装置から歌唱音声信号をダウンロードする操作を受け付ける操作手段と、
前記操作手段が歌唱音声信号のダウンロード操作を受け付けると、カラオケ装置からアップロードされて前記サーバ装置での二次審査に合格した歌唱音声信号を前記サーバ装置からダウンロードする手段と、
ダウンロードした歌唱音声信号をガイドボーカルとしてカラオケ演奏と同期して再生する再生手段と、
を備えたカラオケ装置。
【請求項８】
前記カラオケ装置は、サーバ装置からカタログ情報をダウンロードし、そののち利用者の選択により歌唱音声信号をダウンロードする請求項６または請求項７に記載のカラオケ装置。
【請求項９】
請求項１乃至請求項５のいずれかに記載のカラオケシステムに用いられるサーバ装置。
【発明の詳細な説明】
【０００１】
【発明の属する技術分野】
この発明は歌唱者の歌唱をガイドボーカルとして他の利用者が再利用できるようにしたカラオケシステム、カラオケ装置及びサーバ装置に関する。
【０００２】
【発明が解決しようとする課題】
カラオケ装置で演奏されるカラオケ曲の曲データには、歌唱者の手本となる歌唱であるガイドボーカルが付属しているものがある。歌唱者は、このガイドボーカルを聴いて曲を覚えたり、ガイドボーカルと一緒に歌って歌唱の練習をしたりすることができる。
【０００３】
しかし、全てのカラオケ曲にガイドボーカルが付属しているわけではなく、ガイドボーカルが付属していないカラオケ曲では初心者が曲を練習することが難しかった。しかしながら、曲データにガイドボーカルを付加することは非常に手間や経費のかかるものである。
その一方で、カラオケ曲の歌唱者、特に上手な歌唱者ほど、自分の歌唱を人に聴かせたいという願望が強いものである。
【０００４】
そこで、この発明では、カラオケ歌唱者の歌唱をサーバに登録し、他の利用者がその歌唱をガイドボーカルとして利用できるようにしたカラオケシステムを提供することを目的とする。
【０００５】
【課題を解決するための手段】
請求項１の発明であるカラオケシステムは、カラオケ演奏時に、マイクから入力された歌唱音声信号に基づき歌唱を一次審査する審査手段と、
審査手段による一次審査結果が合格であったとき、前記歌唱音声信号をサーバ装置に送信するアップロード手段と、
カラオケ演奏時に、前記サーバ装置から歌唱音声信号をダウンロードする操作を受け付ける操作手段と、
前記操作手段が歌唱音声信号のダウンロード操作を受け付けると、カラオケ演奏時に、前記サーバ装置から歌唱音声信号をダウンロードし、この歌唱音声信号をガイドボーカルとしてカラオケ演奏と同期して再生する再生手段と、
を備えたカラオケ装置と、
複数のカラオケ装置と通信回線を介して接続されているサーバ装置であって、前記カラオケ装置からアップロードされてきた歌唱音声信号に基づきこの歌唱の二次審査を行い、この二次審査に合格したもののみをガイドボーカルとして、前記複数のカラオケ装置がダウンロードできるように公開するサーバ装置と、
からなることを特徴とする。
【０００６】
請求項２の発明は、カラオケ演奏時に、マイクから入力された歌唱音声信号に基づき歌唱を一次審査する審査手段と、
審査手段による一次審査結果が合格であったとき、前記歌唱音声信号をサーバ装置に送信するアップロード手段と、
カラオケ演奏時に、前記サーバ装置から歌唱音声信号をダウンロードする操作を受け付ける操作手段と、
前記操作手段が歌唱音声信号のダウンロード操作を受け付けると、前記サーバ装置から歌唱音声信号をダウンロードする手段と、
ダウンロードした歌唱音声信号をガイドボーカルとしてカラオケ演奏と同期して再生する再生手段と、
を備えたカラオケ装置と、
複数のカラオケ装置と通信回線を介して接続されているサーバ装置であって、前記カラオケ装置からアップロードされてきた歌唱音声信号に基づきこの歌唱の二次審査を行い、この二次審査に合格したもののみをガイドボーカルとして、前記複数のカラオケ装置がダウンロードできるように公開するサーバ装置と、
からなることを特徴とする。
【０００７】
請求項３の発明は、前記発明において、前記サーバ装置が、歌唱音声信号とともに、その歌唱者に関する情報や歌唱の特徴を含むカタログ情報を公開することを特徴とする。請求項４の発明は、請求項３の発明において、前記サーバ装置が、歌唱音声信号のダウンロード回数をカウントし、この情報を前記カタログ情報に付加することを特徴とする。請求項５の発明は、請求項３または４の発明において、前記カラオケ装置が、サーバ装置から前記カタログ情報をダウンロードし、そののち利用者の選択により、歌唱音声信号をダウンロードすることを特徴とする。
【０００８】
請求項６の発明であるカラオケ装置は、カラオケ演奏時に、マイクから入力された歌唱音声信号に基づき歌唱を一次審査する審査手段と、審査手段による一次審査結果が合格であったとき、前記歌唱音声信号をサーバ装置に送信するアップロード手段と、カラオケ演奏時に、前記サーバ装置から歌唱音声信号をダウンロードする操作を受け付ける操作手段と、前記操作手段が歌唱音声信号のダウンロード操作を受け付けると、カラオケ演奏時に、カラオケ装置からアップロードされて前記サーバ装置での二次審査に合格した歌唱音声信号を前記サーバ装置から歌唱音声信号をダウンロードし、この歌唱音声信号をガイドボーカルとしてカラオケ演奏と同期して再生する再生手段と、を備えたことを特徴とする。請求項７の発明であるカラオケ装置は、カラオケ演奏時に、マイクから入力された歌唱音声信号に基づき歌唱を一次審査する審査手段と、審査手段による一次審査結果が合格であったとき、前記歌唱音声信号をサーバ装置に送信するアップロード手段と、カラオケ演奏時に、前記サーバ装置から歌唱音声信号をダウンロードする操作を受け付ける操作手段と、前記操作手段が歌唱音声信号のダウンロード操作を受け付けると、カラオケ装置からアップロードされて前記サーバ装置での二次審査に合格した歌唱音声信号を前記サーバ装置からダウンロードする手段と、ダウンロードした歌唱音声信号をガイドボーカルとしてカラオケ演奏と同期して再生する再生手段と、を備えたことを特徴とする。請求項８の発明は、請求項６、７の発明において、前記カラオケ装置は、サーバ装置からカタログ情報をダウンロードし、そののち利用者の選択により歌唱音声信号をダウンロードすることを特徴とする。
【０００９】
この発明では、カラオケ装置の利用者である歌唱者が歌唱した歌唱音声信号を他の利用者が利用できる歌唱としてサーバ装置で公開する。歌唱者の歌唱を無条件で公開すると、稚拙な歌唱や替え歌などが公開されてしまうおそれがあるため、カラオケ装置とサーバ装置で２度歌唱を審査し、この審査に合格したもののみをサーバで公開する。他の利用者はこの公開された歌唱を、カラオケ曲の演奏と同期して再生することにより、手本（ガイドボーカル）として聞いたり、歌入りのＢＧＭとしたりすることができる。
【００１０】
カラオケ装置で大雑把な一次審査を行って合格したものをサーバ装置にアップロードし、サーバ装置で綿密な二次審査を行って合格したものを公開することにより、無駄なトラフィックの減少および精度の高い審査の両方を実現することができる。この場合において、二次審査に不合格になった歌唱については、カラオケ装置に対してその審査結果を返信することにより、その歌唱者に対して自分の歌唱の評価がどの程度のものであるかを知らせるというサービスを提供することができる。
【００１１】
【発明の実施の形態】
図面を参照してこの発明の実施形態について説明する。図１はこの発明の実施形態であるカラオケシステムの構成図、図２は同カラオケシステムのカラオケ装置のブロック図である。
【００１２】
このカラオケシステムでは、端末装置であるカラオケ装置２が、公衆電話回線やインターネットなどの通信回線を介してサーバ１と接続されている。カラオケ装置は、曲データに基づいてカラオケ曲を演奏し、それに合わせて歌唱する歌唱者の歌唱音声信号を処理してカラオケ曲の演奏楽音信号とミキシングして出力する装置である。さらに、この実施形態のカラオケ装置は、この歌唱を採点するとともに圧縮して保存し、採点結果が所定の点数以上の場合にはこの歌唱音声信号をサーバ装置１にアップロードして、ガイドボーカル（手本となる歌唱）として公開する。公開された歌唱音声信号は、どのカラオケ装置２でもダウンロードすることができ、ダウンロードした歌唱音声信号をカラオケ曲の演奏と同期して再生することにより、歌唱の練習をしたり歌入りのＢＧＭとして再生したりすることができる。
【００１３】
図２において、マイク１１は歌唱者の歌唱音声を電気信号に変換して音声信号処理部１２に入力する。音声信号処理部１２は、この歌唱音声信号をディジタル信号に変換し、エコーなどの効果の付与、圧縮してハードディスク２１に記録するとともに、曲データのメロディデータと比較して採点などの処理を行う。エコーなどの効果が付与された歌唱音声信号はミキサ１３に入力される。歌唱音声信号の圧縮方式は、ＭＰ３、ＴｗｉｎＶＱなどの方式を採用すればよい。
【００１４】
ハードディスク２１は、同図に示すように、複数の曲データ、複数の背景映像データ、顧客データを記憶しているとともに、圧縮された歌唱音声信号を一時記憶するバッファを備えている。制御部１０は、歌唱者によってリクエストされた曲データをハードディスク２１から読み出してカラオケ曲を演奏する。リクエストされたカラオケ曲の曲データは、ハードディスク２１から制御部１０のＲＡＭに一旦読み出され、テンポクロックに従ってＲＡＭから音源１６に出力される。音源１６は、入力された曲データに基づいて楽音信号を形成し、その楽音信号をミキサ１３に出力する。
【００１５】
ミキサ１３は、音声信号処理部１２から入力された歌唱音声信号および音源１６から入力されたカラオケ曲の演奏楽音信号をミキシングしてアンプ１４に出力する。アンプ１４はこれを増幅してスピーカ１５から放音する。
【００１６】
また、制御部１０は、カラオケ曲の演奏時に曲データに含まれる歌詞トラックに基づいて歌詞テロップの画像データを合成し画像処理部１９に入力する。また、制御部１０は、リクエストされたカラオケ曲に対応する背景映像をハードディスク２１から画像処理部１９に入力して再生する。画像処理部１９は、この背景映像および歌詞テロップを合成してモニタ２０に表示する。
【００１７】
ハードディスク２１に記憶されている曲データや背景映像データは、通信制御部２２を介してサーバ装置１からダウンロードされる。また、ハードディスク２１に書き込まれた歌唱音声は、通信制御部２２を介してアップロードされる。
【００１８】
リモコン装置１７は、利用者（歌唱者）がリクエストする曲の曲番号を赤外線信号としてカラオケ装置本体に送信する装置であり、この実施形態では、利用者が個人で所持し、曲番号とともに利用者のＩＤコードを送信するいわゆるＩＤリモコンを用いる。リモコン装置１７が送信した赤外線信号はリモコン受信部１８によって受信され制御部１０に入力される。
【００１９】
また、利用者はリモコン装置１７の操作により、上記リクエストしたカラオケ曲の歌唱音声信号をガイドボーカルとしてサーバ装置１に登録するよう要求することができる。また逆に、利用者はリモコン装置１７の操作により、リクエストした曲のガイドボーカルをサーバ装置１からダウンロードしてカラオケ曲の演奏と並行して再生するように要求することもできる。
なお、上記の操作は、ＩＤリモコンでない一般のリモコンでも可能であり、また、装置本体の操作パネルを操作することによってもすることができる。
【００２０】
カラオケ装置２（制御部１０）は、その歌唱の採点結果が所定の点数以上であればその歌唱の歌唱音声信号すなわちハードディスク２１に記憶されている圧縮された歌唱音声信号をサーバ装置１にアップロードする。このとき、ＩＤリモコン１７から送信されてきたＩＤコードを一緒に送信する。
【００２１】
サーバ装置１は、アップロードされた歌唱音声信号をより高度な評価エンジンによって評価し、登録の条件を満たすと判断された歌唱のみガイドボーカルとして端末であるカラオケ装置に公開する。サーバ装置１は、端末装置であるカラオケ装置よりも高性能な音声信号処理機能を備え、アップロードされてきた歌唱音声信号をバッチ処理で綿密に分析して登録の条件を満たすか否かを審査する。
【００２２】
評価エンジンは、歌唱の音程、歌詞、声質等を分析し、歌唱の正確さ、技量、特徴などを割り出す。そして、登録の条件を満たすという評価が得られればこの歌唱音声信号をガイドボーカルとして登録し、通信回線で接続されている全てのカラオケ装置に公開する。サーバ装置１は、このガイドボーカルの歌唱音声データとともに、サンプルデータ、曲名、曲番号、歌唱者のプロファイル、歌唱の特徴、ダウンロード回数などからなるカタログ情報を公開し、カラオケ装置の利用者が参照できるようにしている。サンプルデータは、ガイドボーカルとして公開した歌唱音声信号の一部のみを切り出した小さい歌唱音声ファイルであり、利用者がこれを試聴してガイドボーカルとして利用するか否かを決めることができるものである。曲番号は、このカラオケ曲の曲データをリクエストするときの曲番号と共通であり、連動した再生が可能になっている。歌唱者のプロファイルは、歌唱音声データと一緒に送られてきた歌唱者のＩＤに基づいて顧客データベースから読み出したものであり、名前（ニックネーム）、好きな曲のジャンルなどである。歌唱の特徴は、評価エンジンの評価に基づくものであり、レガートなメロゥな歌唱、歯切れのよい歌唱などの評価がされる。また、ダウンロード回数は、この歌唱音声信号を公開したのちこの歌唱がカラオケ装置からダウンロードされた回数をカウントしたカウンタ値である。この値が大きいほど人気のある歌唱といえる。
【００２３】
利用者がカラオケ曲をリクエストし、そのカラオケ曲のガイドボーカルを要求すると、カラオケ装置は、サーバ装置１に対してそのカラオケ曲のガイドボーカルのカタログ情報を要求する。このカラオケ曲に対して複数の歌唱音声信号がガイドボーカルとして登録されていれば、その全てのカタログ情報がダウンロードされる。利用者はこのカタログを参照して（サンプルデータを試聴して）、どの歌唱音声信号をダウンロードするか（またはダウンロードするか否か）を決定する。利用者がいずれかの歌唱音声信号をダウンロードすることに決めた場合には、その旨の操作を行えばその歌唱音声信号がサーバ装置１からカラオケ装置２にダウンロードされ、カラオケ曲の演奏とともに再生される。
【００２４】
この歌唱音声信号の再生の方式は、単純にマイクからの歌唱に代えて演奏楽音とミキシングする方式、マイクからの歌唱音声が入力されないときのみガイドボーカルの歌唱音声信号ボリュームを上げて再生する方式、スイッチのオン／オフにより、ガイドボーカルの歌唱音声信号をオン／オフできる方式など種々の態様で行うことができる。
【００２５】
図３は前記カラオケ装置の動作を示すフローチャートである。このフローチャートは、利用者がカラオケ曲をリクエストして自ら歌唱する場合を示すフローチャートである。利用者がリモコン装置１７を用いてカラオケ曲を選曲すると、すなわち、リモコン装置１７から曲データが送信されてくると（ｓ１）、同時にこの利用者のＩＤコードも送信されてくる（ｓ２）。ＩＤコードは歌唱音声信号をサーバ装置１にアップロードするとき同時にサーバ装置に送られるものであるが、このＩＤコードに基づいて「○○さんのリクエストは×××です。」のようにリクエストと歌唱者の対応を分かりやすく表示するようにしてもよい。このＩＤコードに対応する名前などの顧客データベースはサーバ装置１からダウンロードしてハードディスク２１に記憶しておけばよい。
【００２６】
ｓ１のリクエストがあると、このリクエストされたカラオケ曲の曲データをハードディスク２１から読み出し（ｓ３）、テンポクロックに従って音源１６に入力することによってこの曲を演奏する（ｓ４）。この演奏と並行して歌唱者（利用者）が歌唱し、この歌唱音声が入力される（ｓ５）。これをＭＰ３またはＴｗｉｎＶＱに圧縮してハードディスク２１に書き込む（ｓ６）とともに、この歌唱を採点する（ｓ７）。曲が終了するまでｓ４以下の動作を継続し、曲が終了すると（ｓ８）、利用者からこの歌唱を登録するよう要求があったかを判断する（ｓ９）。この登録の要求は、カラオケ曲のリクエストと同時、曲の演奏中、または、曲の終了後のどのタイミングで受け付けるようにしてもよい。
【００２７】
登録の要求がなければ、採点結果を表示して（ｓ１４）、終了する。歌唱の登録要求があれば、歌唱の採点結果に基づいてアップロードを許可するか否かをを判断し（一次審査：ｓ１０）、この一次審査に合格した場合には（ｓ１１）、この歌唱音声信号をサーバ装置１にアップロードする（ｓ１２）。一次審査に不合格であった場合には、登録できない旨を表示して（ｓ１３）、終了する。
【００２８】
図４は、カラオケ装置から歌唱音声データのアップロードを受けたサーバ装置１の動作を示すフローチャートである。カラオケ装置から歌唱音声信号がアップロードされると、これを受信し（ｓ２０）、評価エンジンを用いてこの歌唱の音程、歌詞、声質などの特徴を評価する（ｓ２１）。この評価の結果に基づいてこの歌唱音声信号をガイドボーカルとして登録・公開する条件を満たしているかを評価する（二次審査：ｓ２２）。この審査に合格した場合には（ｓ２３）、この歌唱音声信号をガイドボーカルとしてサーバ装置に登録し、各カラオケ装置に対して公開するとともに（ｓ２４）、この歌唱音声信号のカタログ情報を一緒に公開する。
【００２９】
一方、二次審査に不合格であった場合には、審査結果すなわち評価エンジンの評価結果を、この歌唱音声信号をアップロードしてきたカラオケ装置に対して返信する（ｓ２６）。
【００３０】
この評価結果は、そのカラオケ装置において歌唱者に対して表示される。歌唱者は二次審査で不合格であったが、カラオケ装置の採点よりも精度の高い評価を得ることができ、今後の歌唱の参考にすることができる。
【００３１】
図５は、カラオケ演奏とともにガイドボーカルの歌唱音声信号を再生する場合のカラオケ装置の動作を示すフローチャートである。利用者が選曲操作をし、リモコン装置１７から曲番号が入力されると（ｓ３０）、このリクエストされたカラオケ曲の曲データをハードディスク２１から読み出して（ｓ３１）、カラオケ曲の演奏を可能にする。このときガイドボーカルの歌唱音声信号が要求されたかを判断する（ｓ３２）。ガイドボーカルが要求された場合には、サーバ装置１をアクセスしてこのカラオケ曲（曲番号）のガイドボーカルを検索し（ｓ３３）、該当する歌唱音声信号のカタログ情報をサーバ装置１からダウンロードする（ｓ３４）。複数の歌唱音声信号がガイドボーカルとして登録されている場合にはその各歌唱音声信号のカタログ情報がダウンロードされる。このカタログ情報を順次モニタ２０に表示するとともに、音声信号処理部１２で再生する。利用者は、これを参考にして歌唱音声信号をダウンロードするか否か（またはどの歌唱音声信号をダウンロードするか）を選択するため、この選択情報をサーバ装置１に送信する（ｓ３５）。この選択に応じてサーバ装置１から選択されたガイドボーカルデータがダウンロードされてくる（ｓ３６）。
【００３２】
こののち、曲データをテンポクロックにしたがって読み出し、音源１６に入力することによってカラオケ曲を演奏し（ｓ３７）、これと並行してガイドボーカルデータを音声信号処理部１２でデコードして再生する（ｓ３８）。このカラオケ曲の演奏楽音信号とガイドボーカルの歌唱音声信号はミキサ１３でミキシングされてスピーカ１５から出力される。
【００３３】
なお、利用者によってガイドボーカルが要求されなかった場合には（ｓ３２）、曲データに基づいてカラオケ曲のみを演奏する。この演奏と並行してマイク１１から入力される歌唱音声は音声信号処理部１２で処理され、ミキサ１３でカラオケ演奏の楽音信号とミキシングされてスピーカ１５から出力される。
【００３４】
なお、ガイドボーカルの再生中もマイク１１からの入力を受け付けて、ガイドボーカルと歌唱音声とを一緒にミキサ１３に入力するようにしてもよい。
【００３５】
また、ガイドボーカルの歌唱音声信号は利用者の操作によってオン／オフできるようにしてもよい。また、マイク１１から歌唱音声が入力されているときはガイドボーカルの歌唱音声信号をオフし、マイク１１から歌唱音声が入力されていないときはガイドボーカルの歌唱音声信号をオンするようにしてもよい。さらに、オン／オフではなく、マイク１１から歌唱音声が入力されているときはガイドボーカルの歌唱音声信号のボリュームを小さくし、マイク１１から歌唱音声が入力されていないときはガイドボーカルの歌唱音声信号を大きくするようにしてもよい。
【００３６】
図６は前記サーバ装置の動作を示すフローチャートである。カラオケ装置から曲を指定する曲番号とともにガイドボーカルの歌唱音声信号のダウンロードを要求するコマンドが送信されてくると（ｓ４１）、この曲番号のカラオケ曲のガイドボーカルを検索し、そのカタログ情報をカラオケ装置にダウンロードする（ｓ４２）。カラオケ装置では、このカタログを参照して利用者がダウンロードするものを選択し、その選択情報が送られてくる（ｓ４３）。この選択情報に対応するガイドボーカルの歌唱音声信号をカラオケ装置に対してダウンロードし（ｓ４４）、この歌唱音声信号のダウンロード回数のカウンタを１カウントアップする（ｓ４５）。
【００３７】
なお、この発明は、図１に示したサーバ装置１とカラオケ装置２がＷＡＮで接続されている形態のみならず、図７に示すようにＬＡＮで接続された形態にも適用することができる。
【００３８】
【発明の効果】
以上のようにこの発明によれば、カラオケ装置の利用者の歌唱をガイドボーカルとして公開し、再利用することができるため、ガイドボーカルを予め作成しておく手間や経費を省くことができるとともに、歌唱者は自分の歌唱を他人に聴いてもらうことができるという利点がある。
【図面の簡単な説明】
【図１】この発明の実施形態であるカラオケシステムの構成図
【図２】カラオケ装置のブロック図
【図３】カラオケ装置の動作を示すフローチャート
【図４】サーバ装置の動作を示すフローチャート
【図５】カラオケ装置の動作を示すフローチャート
【図６】サーバ装置の動作を示すフローチャート
【図７】この発明の他の実施形態であるカラオケシステムの構成図
【符号の説明】
１…サーバ装置、２…カラオケ装置、
１０…制御部、１１…マイク、１２…音声信号処理部、１３…ミキサ、１４…アンプ、１５…スピーカ、１６…音源、１７…リモコン装置、１８…リモコン受信部、１９…画像処理部、２０…モニタ、２１…ハードディスク、２２…通信制御部
【図１】
0004103364.tif 000002
【図２】
0004103364.tif 000003
【図３】
0004103364.tif 000004
【図４】
0004103364.tif 000005
【図５】
0004103364.tif 000006
【図６】
0004103364.tif 000007
【図７】
0004103364.tif 000008